(57)【要約】端末は、ＧＳＭ隣接セル及び／又はＵＭＴＳ隣接セルを含むモニターセットを得る。端末は、圧縮モードで動作し、例えば、「ＧＳＭキャリアＲＳＳＩ測定」（ＧＡＰ１）、「ＧＳＭ初期ＢＳＩＣ識別」（ＧＡＰ２）、及び「ＧＳＭ  ＢＳＩＣ再確認」（ＧＡＰ３）のためのような異なる測定目的のために、少なくとも２つの送信ギャップパターンシーケンスをＵＭＴＳネットワークから取得する。端末は、例えばＧＡＰ１、ＧＡＰ２、及びＧＡＰ３のような複数の送信ギャップパターンシーケンスを用いて、ＧＳＭセルのＲＳＳＩ測定を行う。端末は、（１）例えばＧＡＰ２やＧＡＰ３のような複数の送信ギャップパターンシーケンスを用いてＦＣＣＨ上のトーンを検出し、（２）例えばＧＡＰ２やＧＡＰ３のような複数の送信ギャップパターンシーケンスを用いてＳＣＨを復号することによって、少なくとも１つのＧＳＭセルのＢＳＩＣを識別する。ＲＳＳＩ測定とＢＳＩＣ識別のために複数の送信ギャップパターンシーケンスを用いることによって、端末は、セル測定を完了し、報告をより迅速に送ることが可能となる。これは、パフォーマンスを向上する。【選択図】      図８
2009505519.tif 000002
【特許請求の範囲】
【請求項１】
少なくとも２つの測定目的のために、少なくとも２つの送信ギャップパターンシーケンスを取得し、前記少なくとも２つの送信ギャップパターンシーケンスを用いて、隣接セルに対する受信信号強度インジケータ（ＲＳＳＩ）測定を行うように構成された少なくとも１つのプロセッサーと、
前記少なくとも１つのプロセッサーに接続されたメモリと
を備える装置。
【請求項２】
前記少なくとも２つの送信ギャップパターンシーケンスは、ＧＳＭキャリアＲＳＳＩ測定の目的を持つ第１の送信ギャップパターンシーケンスと、ＧＳＭ初期ＢＳＩＣ識別の目的を持つ第２の送信ギャップパターンシーケンスとを備える請求項１に記載の装置。
【請求項３】
前記少なくとも２つの送信ギャップパターンシーケンスは、ＧＳＭキャリアＲＳＳＩ測定の目的を持つ第１の送信ギャップパターンシーケンスと、ＧＳＭ初期ＢＳＩＣ識別の目的を持つ第２の送信ギャップパターンシーケンスと、ＧＳＭ  ＢＳＩＣ再確認の目的を持つ第３の送信ギャップパターンシーケンスとを備える請求項１に記載の装置。
【請求項４】
前記少なくとも１つのプロセッサーは、前記少なくとも２つの送信ギャップパターンシーケンスのうちの複数を用いて、少なくとも１つのＧＳＭセルの基地トランシーバー局アイデンティティーコード（ＢＳＩＣ）識別を行なうように構成された請求項１に記載の装置。
【請求項５】
前記少なくとも１つのプロセッサーは、少なくとも前記第２の送信ギャップパターンシーケンスと前記第３の送信ギャップパターンシーケンスとを用いて、少なくとも１つのＧＳＭセルの基地トランシーバー局アイデンティティーコード（ＢＳＩＣ）識別を行なうように構成された請求項３に記載の装置。
【請求項６】
前記少なくとも１つのプロセッサーは、少なくとも前記第２の送信ギャップパターンシーケンスと前記第３の送信ギャップパターンシーケンスとを用いて、少なくとも１つのＧＳＭセルのトーン検出を行なうように構成された請求項３に記載の装置。
【請求項７】
前記少なくとも１つのプロセッサーは、少なくとも前記第２の送信ギャップパターンシーケンスと前記第３の送信ギャップパターンシーケンスとを用いて、同期チャネル（ＳＣＨ）を復号するように構成された請求項３に記載の装置。
【請求項８】
前記少なくとも１つのプロセッサーは、前記第３の送信ギャップパターンシーケンスを用いてＢＳＩＣ再確認を行なうように構成された請求項５に記載の装置。
【請求項９】
前記少なくとも１つのプロセッサーは、前記少なくとも１つのＧＳＭセルに対する報告を送り、前記報告を送った後、前記第１の送信ギャップパターンシーケンスを用いて、前記隣接セルのＲＳＳＩ測定を行い、前記第２の送信ギャップパターンシーケンスを用いて、ＢＳＩＣ識別を行い、前記第３の送信ギャップパターンシーケンスを用いて、ＢＳＩＣ再確認を行なうように構成された請求項５に記載の装置。
【請求項１０】
前記少なくとも１つのプロセッサーは、ＧＳＭセルを備えたモニターセットを受信し、前記少なくとも２つの送信ギャップパターンシーケンスを用いて、前記ＧＳＭセルのＲＳＳＩ測定を行なうように構成された請求項１に記載の装置。
【請求項１１】
少なくとも２つの測定目的のために、少なくとも２つの送信ギャップパターンシーケンスを取得することと、
前記少なくとも２つの送信ギャップパターンシーケンスを用いて、隣接セルの受信信号強度インジケータ（ＲＳＳＩ）測定を行うことと
を備える方法。
【請求項１２】
前記少なくとも２つの送信ギャップパターンシーケンスのうちの複数を用いて、少なくとも１つのＧＳＭセルの基地トランシーバー局アイデンティティーコード（ＢＳＩＣ）識別を行なうことを更に備える請求項１１に記載の方法。
【請求項１３】
前記少なくとも２つの送信ギャップパターンシーケンスを取得することは、
ＧＳＭキャリアＲＳＳＩ測定の目的を持つ第１の送信ギャップパターンシーケンスと、ＧＳＭ初期ＢＳＩＣ識別の目的を持つ第２の送信ギャップパターンシーケンスと、ＧＳＭ  ＢＳＩＣ再確認の目的を持つ第３の送信ギャップパターンシーケンスとを取得することを備え、
前記ＲＳＳＩ測定は、前記第１、第２、及び第３の送信ギャップパターンシーケンスを用いてなされる請求項１１に記載の方法。
【請求項１４】
少なくとも前記第２の送信ギャップパターンシーケンスと前記第３の送信ギャップパターンシーケンスとを用いて、少なくとも１つのＧＳＭセルのトーン検出を実行することと、
少なくとも前記第２の送信ギャップパターンシーケンスと前記第３の送信ギャップパターンシーケンスとを用いて、少なくとも１つのＧＳＭセルの同期チャネル（ＳＣＨ）を復号することと
を更に備える請求項１３に記載の方法。
【請求項１５】
少なくとも２つの測定目的のために、少なくとも２つの送信ギャップパターンシーケンスを取得する手段と、
前記少なくとも２つの送信ギャップパターンシーケンスを用いて、隣接セルの受信信号強度インジケータ（ＲＳＳＩ）測定を行う手段と
を備える装置。
【請求項１６】
前記少なくとも２つの送信ギャップパターンシーケンスのうちの複数を用いて、少なくとも１つのＧＳＭセルの基地トランシーバー局アイデンティティーコード（ＢＳＩＣ）識別を行なう手段を更に備える請求項１５に記載の装置。
【請求項１７】
前記少なくとも２つの送信ギャップパターンシーケンスを取得する手段は、
ＧＳＭキャリアＲＳＳＩ測定の目的を持つ第１の送信ギャップパターンシーケンスと、ＧＳＭ初期ＢＳＩＣ識別の目的を持つ第２の送信ギャップパターンシーケンスと、ＧＳＭ  ＢＳＩＣ再確認の目的を持つ第３の送信ギャップパターンシーケンスとを取得する手段を備え、
前記ＲＳＳＩ測定は、前記第１、第２、及び第３の送信ギャップパターンシーケンスを用いてなされる請求項１５に記載の装置。
【請求項１８】
少なくとも前記第２の送信ギャップパターンシーケンスと前記第３の送信ギャップパターンシーケンスとを用いて、少なくとも１つのＧＳＭセルのトーン検出を実行する手段と、
少なくとも前記第２の送信ギャップパターンシーケンスと前記第３の送信ギャップパターンシーケンスとを用いて、少なくとも１つのＧＳＭセルの同期チャネル（ＳＣＨ）を復号する手段と
を更に備える請求項１７に記載の装置。
【請求項１９】
少なくとも２つの測定目的のために、少なくとも２つの送信ギャップパターンシーケンスを取得することと、
前記少なくとも２つの送信ギャップパターンシーケンスを用いて、隣接セルの受信信号強度インジケータ（ＲＳＳＩ）測定を行うことと
を端末において実施可能な命令を格納するプロセッサー読取可能媒体。
【請求項２０】
前記少なくとも２つの送信ギャップパターンシーケンスのうちの複数を用いて、少なくとも１つのＧＳＭセルの基地トランシーバー局アイデンティティーコード（ＢＳＩＣ）識別を行なうことを実施可能な命令を更に格納する請求項１９に記載のプロセッサー読取可能媒体。
【請求項２１】
ＧＳＭキャリアＲＳＳＩ測定の目的を持つ第１の送信ギャップパターンシーケンスと、ＧＳＭ初期ＢＳＩＣ識別の目的を持つ第２の送信ギャップパターンシーケンスと、ＧＳＭ  ＢＳＩＣ再確認の目的を持つ第３の送信ギャップパターンシーケンスとを取得することと、
前記第１、第２、及び第３の送信ギャップパターンシーケンスを用いて前記ＲＳＳＩ測定を行うことと
を実施可能な命令を更に格納する請求項１９に記載のプロセッサー読取可能媒体。
【請求項２２】
少なくとも前記第２の送信ギャップパターンシーケンスと前記第３の送信ギャップパターンシーケンスとを用いて、少なくとも１つのＧＳＭセルのトーン検出を実行することと、
少なくとも前記第２の送信ギャップパターンシーケンスと前記第３の送信ギャップパターンシーケンスとを用いて、少なくとも１つのＧＳＭセルの同期チャネル（ＳＣＨ）を復号することと
を実施可能な命令を更に格納する請求項２１に記載のプロセッサー読取可能媒体。
【発明の詳細な説明】
【技術分野】
【０００１】
本開示は、一般に、通信に関連し、更に詳しくは、非同期通信ネットワークにおけるセル測定に関連する。
【０００２】
本出願は、本願の譲受人に譲渡され、本明細書に参照によって明確に組み込まれている２００５年８月１２日に出願され"IMPROVEMENTS IN UMTS COMPRESSED MODE"と題された仮出願６０／７０７，８１５号の優先権を要求する。
【背景技術】
【０００３】
無線通信ネットワークは、例えば、音声、パケットデータ、ブロードキャスト、メッセージング等のような様々な通信サービスを提供するために広く展開している。これらの無線ネットワークは、利用可能なネットワークリソースを共有することにより、多数のユーザのための通信をサポートできる。そのような無線ネットワークの例は、符号分割多元接続（ＣＤＭＡ）ネットワーク、時分割多元接続（ＴＤＭＡ）ネットワーク、及び周波数分割多元接続（ＦＤＭＡ）ネットワークを含んでいる。これらの無線ネットワークは、例えば、広帯域ＣＤＭＡ（Ｗ−ＣＤＭＡ）、ｃｄｍａ２０００、グローバル移動体通信システム（ＧＳＭ）等のように、当該技術において知られている様々なラジオアクセス技術（ＲＡＴ）をも利用しうる。
【０００４】
端末は、例えば、ＧＳＭネットワークや、Ｗ−ＣＤＭＡネットワークを実施するユニバーサルモバイルテレコミュニケーションシステム（ＵＭＴＳ）ネットワークのような多数の無線ネットワークと通信可能でありうる。各無線ネットワークは一般に、多くのセルを含む。ここで用語「セル」は、この用語が使用される状況に依存して、基地局の有効範囲領域又は基地局を称することができる。端末は、一般に、所与の任意の瞬間において、唯一の無線ネットワーク内のサービス提供セルと通信するが、他の無線ネットワーク内のセルに対する測定を定期的に行いうる。このセル測定は、受信信号強度、周波数、タイミング、及び、セルの識別のための測定を含みうる。このセル測定によって、端末は、他の無線ネットワーク内の何れかのセルが、現在のサービス提供セルよりも条件が良いかどうかを確認できるようになる。もしも他の無線ネットワークにおいて条件の良いセルが発見された場合、この端末は、他の無線ネットワークへの切り換えを行い、この条件の良いセルからサービスを受け取る。
【０００５】
セル測定は、できる限り迅速に終えることが望ましい。例えば、端末はモバイルであり、サービス提供している無線ネットワークの有効範囲の外部に移動したかもしれない。セル測定を完了し、条件の良いセルをより直ちに報告することによって、端末は、通話が失われる（is dropped）前に、条件の良いセルへハンドオフされうる。しかしながら、ＧＳＭネットワークやＵＭＴＳネットワークは、非同期に動作するので、ＧＳＭネットワーク内のセルのタイミングを、ＵＭＴＳネットワーク内のセルのタイミングに基づいて確認することができない。あるいはその逆に、ＵＭＴＳネットワークのセルのタイミングを、ＧＳＭネットワーク内のセルのタイミングに基づいて確認することができない。更に、各ネットワーク内のセルが、互いに非同期に動作しうる。ネットワーク及びセルレベルにおける非同期動作は、セル測定を複雑にする。
【０００６】
従って、当該技術では、非同期通信ネットワークにおいて、効率的にセル測定を行う技術に対するニーズがある。
【発明の開示】
【０００７】
例えばＧＳＭネットワークやＵＭＴＳネットワークのような非同期通信ネットワークにおいて効率的にセル測定を行なうための技術が、本明細書で記述される。端末は、ＧＳＭ隣接セル及び／又はＵＭＴＳ隣接セルを含むモニターセットを得る。端末は、圧縮モードで動作し、ＵＭＴＳネットワークから、異なる測定目的のために、少なくとも２つの送信ギャップパターンシーケンスを得る。例えば、端末は、「ＧＳＭキャリアＲＳＳＩ測定」（ＧＡＰ１）のための送信ギャップパターンシーケンス、「ＧＳＭ初期ＢＳＩＣ識別」（ＧＡＰ２）のための送信ギャップパターンシーケンス、及び、「ＧＳＭ  ＢＳＩＣ再確認」（ＧＡＰ３）のための送信ギャップパターンシーケンスを取得しうる。送信ギャップパターンシーケンスはそれぞれ、送信におけるギャップ、すなわち送信ギャップを示す。これによって、端末は、圧縮モードで隣接セルの測定を行うことが可能となる。
【０００８】
実施形態では、端末は、例えばＧＡＰ１、ＧＡＰ２、ＧＡＰ３のように、割り当てられた送信ギャップパターンシーケンスのうちの複数を用いて、モニターセットにおけるＧＳＭセルに対する受信信号強度インジケータ（ＲＳＳＩ）測定を行う。端末は、その後、例えば最も強い方から８つのＧＳＭセルのような、少なくとも１つのＧＳＭセルのための基地トランシーバー局識別コード（ＢＳＩＣ）を識別する。ＢＳＩＣ識別のために、端末は、先ず、例えばＧＡＰ２やＧＡＰ３のように、複数の送信ギャップパターンシーケンスを用いて、各ＧＳＭセルから周波数補正チャネル（ＦＣＣＨ）に関するトーンを検知しうる。端末は、その後、例えばＧＡＰ２やＧＡＰ３のように、複数の送信ギャップパターンシーケンスを用いて、各ＧＳＭセルからの同期チャネル（ＳＣＨ）を復号しうる。端末は、識別されたＧＳＭセルを報告する。ＲＳＳＩ測定及びＢＳＩＣ識別のため複数の送信ギャップパターンシーケンスを使用することによって、端末は、セル測定を完了し、より迅速に報告を送ることができるようになる。これは、パフォーマンスを改善する。最初の報告後、端末は、目的に応じて割り当てられた送信ギャップパターンシーケンスを用いて、通常の方法で、ＲＳＳＩ測定、ＢＳＩＣ識別、及びＢＳＩＣ再確認を実行しうる。
【０００９】
本発明の様々な局面及び実施形態が、以下に更に詳細に記述される。
【発明を実施するための最良の形態】
【００１０】
本発明の特徴及び品質は、同一の参照符号が全体を通じて対応している図面と連携した場合に、以下に示す詳細説明からより明らかになるであろう。
【００１１】
用語「典型的な」（exemplary）は、「例、インスタンス、又は例示として役立つ」ことを意味するために本明細書で使用される。本明細書で「典型的な」と記載されるあらゆる実施形態又は設計は、他の実施形態や設計に対して、必ずしも好適であるとか、有利であるとか解釈される必要はない。
【００１２】
本明細書で記述されるセル測定技術は、様々な非同期通信ネットワークのために使用されうる。明確化のために、これら技術は、具体的に、ＧＳＭネットワークとＵＭＴＳネットワークとについて以下に記載される。
【００１３】
図１は、ＧＳＭネットワーク１１０及びＵＭＴＳネットワーク１２０を含んでいる公衆陸上モバイルネットワーク（ＰＬＭＮ）１００を示す。「ネットワーク」、「システム」という用語は、しばしば置換可能に使用される。ＧＳＭは、音声サービスを提供できるラジオアクセス技術（ＲＡＴ）であり、中位レートパケットデータサービスに対して低い。ＧＳＭネットワークは、世界中で広く展開されている。Ｗ−ＣＤＭＡは、例えば、より高いデータレート、音声及びデータの同時コール等のような、より高度なサービスや機能を提供することができる新たなラジオアクセス技術である。ＵＭＴＳネットワーク１２０は、Ｗ−ＣＤＭＡを実施し、ＵＭＴＳ地上ラジオアクセスネットワーク（ＵＴＲＡＮ）とも呼ばれる。「ＵＭＴＳ」、「Ｗ−ＣＤＭＡ」という用語は、以下の記述において置換可能に使用される。ＧＳＭネットワーク１１０及びＵＭＴＳネットワーク１２０は、異なるラジオアクセス技術（ＧＳＭとＷ−ＣＤＭＡ）を用いるが、同じサービスプロバイダ又はネットワークオペレーターに属する２つの無線ネットワークである。ＧＳＭとＵＭＴＳとは、公的に利用可能な「第３世代パートナシップ計画」（３ＧＰＰ）と命名されたコンソーシアムからの文書に記載されている。
【００１４】
ＧＳＭネットワーク１１０は、ＧＳＭネットワークの有効範囲領域内の端末と通信する基地局１１２を含んでいる。基地局は、端末と通信し、ノードＢ、基地トランシーバー局（ＢＴＳ）、アクセスポイント等とも称されうる固定局である。基地局コントローラー（ＢＳＣ）１１４は、基地局１１２へ接続されており、これら基地局に、調整及び制御を与える。ＵＭＴＳネットワーク１２０は、ＵＭＴＳネットワークの有効範囲領域内の端末と通信する基地局１２２を含んでいる。ラジオネットワークコントローラー（ＲＮＣ）１２４は、基地局１２２へ接続されており、これら基地局に、調整及び制御を与える。ＲＮＣ１２４は、ＢＳＣ１１４と通信し、ＧＳＭネットワークとＵＭＴＳネットワークとの間の相互動作をサポートする。
【００１５】
マルチモード端末１５０（例えば、デュアルモードセルラ電話）は、ＧＳＭネットワーク１１０及びＵＭＴＳネットワーク１２０と通信し、一般に、任意の所与の瞬間において、１つの無線ネットワークと通信することができる。この機能によって、ユーザは、同じ端末を用いて、ＵＭＴＳのパフォーマンスの利点と、ＧＳＭの有効範囲の恩恵とを得ることができる。端末１５０は、固定式又は移動式であり、ユーザ機器（ＵＥ）、モバイル局（ＭＳ）、モバイル機器（ＭＥ）等とも称される。端末１５０は、セルラ電話、携帯情報端末（ＰＤＡ）、無線モデム、無線通信デバイス、加入者ユニット等でありうる。
【００１６】
図２は、ＵＭＴＳにおけるダウンリンクのフレーム構造を示す。このフレーム構造は、端末にユーザ特有データを搬送するダウンリンク専用物理チャネル（ＤＰＣＨ）のために使用される。データ伝送用のスケジュールは、ラジオフレームに分割される。ラジオフレームはそれぞれ、１２ビットのシステムフレーム番号（ＳＦＮ）によって識別され、制御チャネル上で送られる。ＳＦＮは特定の時間において０にリセットされ、その後、各ラジオフレームについて１ずつインクリメントされ、最大値４０９５に達した後は、０に戻す。各ラジオフレームの持続時間は１０ミリ秒（ｍｓ）であり、更に１５スロットに分割される。これらは、スロット０乃至１４とラベルされる。スロットはそれぞれ、ユーザ特有データのための２つのデータフィールド（Ｄａｔａ１及びＤａｔａ２）、電力制御情報のための送信電力（ＴＰＣ）フィールド、フォーマット情報のための伝送フォーマット組み合わせインジケータ（ＴＦＣＩ）フィールド（例えば、伝送ブロックの数、伝送ブロックサイズ等）、及び、パイロットのためのパイロットフィールドを含む。
【００１７】
図３は、ＧＳＭにおけるフレーム構造を示す。データ伝送用のスケジュールは、スーパーフレームに分割される。スーパーフレームそれぞれの持続時間は、６．１２秒であり、１３２６のＴＤＭＡフレームを含んでいる。スーパーフレームは、（図３に示すような）２６個の５１−フレームマルチフレームか、５１個の２６−フレームマルチフレームかの何れかへ分割されうる。ＧＳＭにおける制御／オーバーヘッドチャネルは、５１−フレームマルチフレーム構造を使用する。５１−フレームマルチフレームはそれぞれ、５１のＴＤＭＡフレームを含んでいる。それは、ＴＤＭＡフレーム０乃至５０としてラベルされる。ＴＤＭＡフレームそれぞれの持続時間は４．６１５ミリ秒である。以下の記載では、ＴＤＭＡフレームもＧＳＭフレームと呼ばれる。
【００１８】
ＧＳＭのための制御チャネルは、周波数補正チャネル（ＦＣＣＨ）、同期チャネル（ＳＣＨ）、ブロードキャスト制御チャネル（ＢＣＣＨ）、及び、共通制御チャネル（ＣＣＣＨ）を含んでいる。ＦＣＣＨがトーンを搬送することによって、端末は、ＦＣＣＨを送信しているＧＳＭセルのための周波数と粗タイミング情報を取得することができる。ＦＣＣＨは、５１−フレームマルチフレームそれぞれのＧＳＭフレーム０、１０、２０、３０および４０で送られる。ＳＣＨは、（１）タイミング及びフレームナンバリングを同期するために端末によって使用される低減された（reduced）ＧＳＭフレーム番号（ＲＦＮ）と、（２）ＳＣＨを送信しているＧＳＭセルを識別するＢＳＩＣとを搬送する。ＳＣＨは、５１−フレームマルチフレームそれぞれのＧＳＭフレーム１、１１、２１、３１および４１で搬送される。ＢＣＣＨは、システム情報を搬送し、５１−フレームマルチフレームそれぞれのＧＳＭフレーム２、３、４および５で搬送される。ＣＣＣＨは、制御情報を搬送し、ページングチャネル（ＰＣＨ）を実施するために使用される。それは、アイドルな端末のためにページングメッセージを伝える。ＧＳＭ内の制御チャネルは、公的に利用可能な文書３ＧＰＰ  ＴＳ  ０５．０１に記述される。
【００１９】
ＧＳＭネットワーク１１０は、１又は複数の周波数帯域上で動作する。周波数帯域はそれぞれ、周波数範囲をカバーし、多くの２００ｋＨｚのラジオ周波数（ＲＦ）チャネルに分割される。ＲＦチャネルはそれぞれ、特定のＡＲＦＣＮ（絶対的なラジオ周波数チャネル番号）によって識別される。例えば、ＧＳＭ９００周波数帯域は、ＡＲＦＣＮ１乃至１２４を含み、ＧＳＭ１８００周波数帯域は、ＡＲＦＣＮ５１２乃至８８５を含み、ＧＳＭ１９００周波数帯域は、ＡＲＦＣＮ５１２乃至８１０を含む。
【００２０】
ＧＳＭセルはそれぞれ、ネットワークオペレーターによってそのセルに割り当てられたＲＦチャネルのセットで、トラフィックデータおよびオーバーヘッドデータを送信する。セル間干渉を低減するために、互いに近くに位置するＧＳＭセルは、異なるＲＦチャネルのセットが割り当てられる。これによって、これらのセルからの送信は、互いに干渉しない。ＧＳＭセルはそれぞれ、そのセルに割り当てられた１又は複数のＲＦチャネルで、ＦＣＣＨ、ＳＣＨおよびＢＣＣＨを送信する。これらの制御チャネルを送信するために使用されるＲＦチャネルはＢＣＣＨキャリアと呼ばれる。
【００２１】
端末１５０は、例えば音声通話のために、ＵＭＴＳネットワーク１２０と通信しうる。端末１５０は、ＵＭＴＳネットワーク１２０から、最大３２のＧＳＭ隣接セルと、最大６４のＵＭＴＳ隣接セルとを含むモニターセットを受信する。このモニターセットは、隣接セルリスト、又はその他幾つかの名称で呼ばれうる。モニターセットは、（１）ＢＣＣＨキャリアのＡＲＦＣＮおよび各ＧＳＭ隣接セルのＢＳＩＣと、（２）ユニバーサルＡＲＦＣＮ（ＵＡＲＦＣＮ）および各ＵＭＴＳ隣接セルのスクランブリングコードとを示す。条件の良いセルを探索するために、３ＧＰＰによって指定されるように、端末１５０は、モニターセット内のＧＳＭセルとＵＭＴＳセルに対する測定を行う。
【００２２】
ＧＳＭネットワーク１１０では、上述したように、隣接セルが、セル内干渉を避けるために、異なるＲＦチャネルで送信する。従って、ＧＳＭ隣接セルのための測定を行なうために、端末１５０は、その受信機を、ＵＭＴＳサービス提供セルから離すように調節する必要がある。離すように調節している間、端末１５０は、ＵＭＴＳサービス提供セルとの間でデータを受信することも送信することもできない。ＵＭＴＳは、端末１５０が、ＵＭＴＳネットワークからのデータを失わずに、ＧＳＭセルのための測定を行なうことを可能にするメカニズムを提供する。
【００２３】
ＵＭＴＳは、ダウンリンク上の圧縮モードをサポートする。圧縮モードでは、ＵＭＴＳサービス提供セルが、ラジオフレームの部分の間のみ、端末１５０へデータを送信し、その後、ラジオフレームの残りの部分において、送信ギャップを生成する。端末１５０は、ＧＳＭセルの測定を行うために、送信ギャップ中、ＵＭＴＳネットワーク１２０を一時的に出ることができる。
【００２４】
図４は、ＵＭＴＳにおける圧縮モード送信を示す。圧縮モードでは、端末１５０用のユーザ特有データは、送信ギャップパターン１と送信ギャップパターン２とが交互することからなる送信ギャップパターンシーケンスに従って送信される。送信ギャップパターンはそれぞれ、１又は２の送信ギャップを含んでいる。送信ギャップはそれぞれ、全体が、１つのラジオフレーム内において生じるかもしれないし、２つのラジオフレームに渡り及ぶかもしれない。送信ギャップパターンシーケンスは、以下のパラメータによって定義される。  
・ＴＧＰＲＣ（送信ギャップパターン反復カウント）−送信ギャップパターンシーケンス内の送信ギャップパターンの数。  
・ＴＧＳＮ（送信ギャップ開始スロット番号）−送信ギャップパターン内の第１の送信ギャップスロットのスロット番号（スロット１から１４）。  
・ＴＧＬ１（送信ギャップ長さ１）−各送信ギャップパターン内の第１の送信ギャップの持続時間（１から１４スロット）。  
・ＴＧＬ２（送信ギャップ長さ２）−各送信ギャップパターン中の第２の送信ギャップの持続時間（１から１４スロット）。  
・ＴＧＤ（送信ギャップ距離）−第１の送信ギャップの開始スロットと、第２の送信ギャップと開始スロットとの間の持続時間（１５から２６９スロット）。  
・ＴＧＰＬ１（送信ギャップパターン長さ１）−送信ギャップパターン１の持続時間（１〜１４４フレーム）。  
・ＴＧＰＬ２（送信ギャップパターン長さ２）−送信ギャップパターン２の持続時間（１〜１４４フレーム）。  
圧縮モードは、文書３ＧＰＰ  ＴＳ  ２５．２１２（セクション４．４）、２５．２１３（セクション５．２．１及び５．２．２）、及び２５．２１５（セクション６．１）に記載されている。それら全ては公的に利用可能である。
【００２５】
図５は、３ＧＰＰ  ＴＳ  ２５．１３３に従ってＧＳＭセルを測定する典型的な処理５００を示す。端末１５０は、例えば、ＵＭＴＳネットワーク１２０との音声通話中に、処理５００を実行しうる。端末１５０は、最大３２のＧＳＭ隣接セルと、最大６４のＵＭＴＳセルとを備えるモニターセットを、ＵＭＴＳネットワーク１２０から取得する。ＵＭＴＳネットワーク１２０は、端末１５０に対して、検証されたＢＳＩＣを用いてＧＳＭを測定するように要求する。この場合、端末１５０は、モニターセット内のＧＳＭセルについて受信信号強度を測定し、これらＧＳＭセルのＲＳＳＩ測定値のセットを取得する（ブロック５１０）。ＲＳＳＩ測定は、ＧＡＰ１と称される「ＧＳＭキャリアＲＳＳＩ測定」の目的の送信ギャップパターンシーケンスを用いてなされる。ブロック５１０におけるＲＳＳＩ測定を、以下に詳細に記載する。
【００２６】
端末１５０は、これらＧＳＭセルのためのＲＳＳＩ測定値に基づいて、モニターセット内のＧＳＭセルを降順でソートする。従って、ＲＳＳＩ測定の最初の／第１のセットが、モニターセット内の全てのＧＳＭセルについて取得されるまで端末１５０はブロック５２０へ進まない。その後、端末１５０は、最も強いものから８つまでのＧＳＭセルのＢＳＩＣを識別する。これらセルは、ハンドオーバーの候補である（ブロック５２０）。ＢＳＩＣ識別は、「ＧＳＭ初期ＢＳＩＣ識別」の目的の送信ギャップパターンシーケンスを用いて実行されうる。これはＧＡＰ２と呼ばれる。ブロック５２０におけるＢＳＩＣ識別は、以下にも詳細に記載される。端末１５０は、識別された各ＧＳＭセルのＢＳＩＣを定期的に再確認する（ブロック５３０）。ＢＳＩＣ再確認は、「ＧＳＭ  ＢＳＩＣ再確認」の目的の送信ギャップパターンシーケンスを用いて実行されうる。これはＧＡＰ３と呼ばれる。
【００２７】
端末１５０は、報告がトリガーされた場合はいつでも、ＵＭＴＳネットワーク１２０へＧＳＭセルを報告する。例えば、測定報告は、（イベントトリガー報告のために）イベント、（定期的報告のために）タイマの時間切れ等によってトリガーされうる。端末１５０は、ハンドオーバーのための候補ＧＳＭセルの最新のリストを保持するために、ＲＳＳＩ測定、ＢＳＩＣ識別、及びＢＳＩＣ再確認を連続的に実行する。
【００２８】
ＵＭＴＳネットワーク１２０は、端末１５０が圧縮モードを要求するのであれば、ＲＳＳＩ測定、ＢＳＩＣ識別、及びＢＳＩＣ再確認の目的のためにＧＡＰ１、ＧＡＰ２、及びＧＡＰ３をそれぞれ提供する。ＵＭＴＳネットワーク１２０は、一般に、例えば音声通話の開始時において、３つのＧＡＰを全て同時に提供する。ＵＭＴＳネットワーク１２０は、様々な方法でＧＡＰ１、ＧＡＰ２、ＧＡＰ３を定義しうる。
【００２９】
図６Ａは、端末１５０に提供されうるＧＡＰ１、ＧＡＰ２、及びＧＡＰ３の典型的なセットを示す。テーブル１は、ＧＡＰ１、ＧＡＰ２、及びＧＡＰ３の典型的なセットのパラメータをリストしている。テーブル１では、送信ギャップ測定目的（ＴＧＭＰ）２、３、４がそれぞれ、ＧＡＰ１、ＧＡＰ２、ＧＡＰ３に対応している。ギャップはそれぞれ、無限の持続時間を有している。これは、（テーブル１に示されていない）ＴＧＰＲＣについて０を持つ値によって示される。ＧＡＰ１は、接続フレーム番号（ＴＧＣＦＮ）ｎにおいてスタートし、ＧＡＰ２は、接続フレーム番号ｎ＋２においてスタートし、ＧＡＰ３は、接続フレーム番号ｎ＋６においてスタートする。一般に、各ＧＡＰのＴＧＣＦＮは、（１）２つの異なるＧＡＰからの送信ギャップが、単一のラジオフレーム内で衝突しないように、また、（２）任意の３つの連続するラジオフレームのうち高々２つのラジオフレームしか圧縮されないように選択される。
【００３０】
ギャップはそれぞれ、２つの送信ギャップパターンを含む。送信ギャップパターンそれぞれは、８フレームすなわち８０ミリ秒の持続時間を持ち、７スロットすなわち４．６７ミリ秒幅の１つの送信ギャップを含んでいる。各送信ギャップパターン内の第２の送信ギャップは、ＴＧＤを２７０スロットに設定することによって省略される。従って、各ＧＰＡの送信ギャップは、８０ミリ秒間隔で位置する。ＧＡＰ２における送信ギャップは、ＧＡＰ１における送信ギャップに対して、２フレームすなわち２０ミリ秒遅れる。ＧＡＰ３における送信ギャップは、ＧＡＰ２における送信ギャップに対して、４フレームすなわち４０ミリ秒遅れる。
【表１】
2009505519.tif 000003
【００３１】
図６Ａ及びテーブル１は、セル測定のために割り当てられうるＧＡＰ１、ＧＡＰ２、及びＧＡＰ３の典型的なセットを示す。ＵＭＴＳネットワーク１２０は更に、テーブル１で与えられたものと別のパラメータ値を有するＧＡＰをも割り当てることができる。
【００３２】
慣例的に、端末１５０は、ＵＭＴＳネットワーク１２０から送信ギャップパターンシーケンスとモニターセットを受信すると、図５に示すブロック５１０、５２０、及び５３０における３つのタスクを連続順に実行する。３つのタスクの各々は、以下に記載するように実行されうる。
【００３３】
端末１５０は、まず、ブロック５１０において、モニターセットにおける全てのＧＳＭセルについてＲＳＳＩ測定を実行し、これらＧＳＭセルのＲＳＳＩ測定値のセットを取得する。端末１５０は、各ＧＳＭセルのために少なくとも３つのＲＳＳＩサンプルを取り、かつ、そのＧＳＭセルのためのＲＳＳＩ測定を得るために、これらＲＳＳＩサンプルをフィルタ／平均化するように要求される。ＲＳＳＩサンプルはそれぞれ、１つのＧＳＭセルの１つのＲＦチャネルのための電力測定値である。電力測定は、任意のＧＳＭフレーム内でなされうる。端末１５０は、各ＧＳＭセルのＲＳＳＩサンプルを、時間において可能な限り離して配置する。これは、例えば、モニターセット内のＧＳＭセルに対して３回繰り返し、モニターセットを介した各サイクル内の各ＧＳＭセルについて１つのＲＳＳＩサンプルを取ることによって達成されうる。端末１５０は、各送信ギャップ内のＲＳＳＩの最低数のサンプルを取ることが要求される。この最小数は、送信ギャップの幅に依存する。例えば、端末１５０は、７スロットからなる各送信ギャップ内において、最低６つのＲＳＳＩサンプルを取ることが要求される。
【００３４】
ＲＳＳＩ測定の最初のセットを取得するために必要とされる合計時間は、（１）モニターセット内のＧＳＭセルの数、（２）ＲＳＳＩ測定に使用される送信ギャップの数、及び、（３）ＲＳＳＩ測定に使用される各送信ギャップの持続時間に依存する。ＧＳＭセルの数、及び送信ギャップ持続時間は、一般に、ＵＭＴＳネットワーク１２０によって決定される。ＲＳＳＩ測定を完了するために必要な送信ギャップの数は、ＲＳＳＩ測定に使用される送信ギャップパターンシーケンスの数に依存する。
【００３５】
従来、端末１５０は、ＲＳＳＩ測定のために、ＧＡＰ１内の送信ギャップのみを用いる。もしも端末１５０が、３２のＧＳＭセルを備えたモニターセットを与えられるのであれば、端末１５０は、３２のＧＳＭセルのために、少なくとも９６のＲＳＳＩサンプルを取る必要があるであろう。３ＧＰＰ  ＴＳ  ２５．１３３によって要求されているように、端末１５０が、７つのスロットからなる送信ギャップ毎に、６つのＲＳＳＩサンプルを取るのであれば、端末１５０は、９６／６＝１６の送信ギャップ内で９６のＲＳＳＩサンプルを取ることができる。従来行われているように、端末１５０が、ＲＳＳＩ測定のため、ＧＡＰ１における送信ギャップのみを用い、かつ、これら送信ギャップが、図６Ａに示す例のように、８０ミリ秒間隔で位置するのであれば、端末１５０は、ほぼ１６×８０＝１２８０ミリ秒内に、９６のＲＳＳＩサンプルを得ることができる。
【００３６】
局面では、端末１５０は、異なる目的のためにＵＭＴＳネットワーク１２０によって割り当てられた多数の（例えば、全ての）送信ギャップパターンシーケンスを用いて、ＧＳＭセルのＲＳＳＩ測定の最初のセットを得る。ＲＳＳＩ測定の最初のセットが取得されるまで、端末１５０は、ＢＳＩＣ識別とＢＳＩＣ再確認それぞれの意図された目的のためにＧＡＰ２とＧＡＰ３とを用いることができない。従って、端末１５０は、より短い期間中に、ＲＳＳＩ測定の最初のセットを完了するために、ＧＡＰ１のみならずＧＡＰ２とＧＡＰ３を効率的に利用することができる。
【００３７】
図６Ｂは、３つの送信ギャップパターンシーケンスＧＡＰ１、ＧＡＰ２、ＧＡＰ３全てを使用して、ＲＳＳＩ測定を行なうことが可能な送信ギャップを示す。図６Ｂに示すようにＧＡＰ１、ＧＡＰ２、ＧＡＰ３は、ＲＳＳＩ測定を行うための送信ギャップ数の３倍を、端末１５０に提供する。従って、端末１５０は、ＧＡＰ１のみである従来方法によって必要とされる時間のおよそ１／３で、ＲＳＳＩ測定の最初のセットを完了することができる。図６Ａに示す例のように、各ＧＡＰ内の送信ギャップが８０ミリ秒間隔で位置するのであれば、端末１５０は、約１６×８０／３＝４２７ミリ秒で９６のＲＳＳＩサンプルを取得することができる。端末１５０は、上述した例のように、１２８０ミリ秒から４２７ミリ秒へとＲＳＳＩ測定時間を短縮することができる。
【００３８】
上記例に示すように、端末１５０は、ＧＳＭセルのためのＲＳＳＩ測定の最初のセットを取得するための合計時間を実質的に短縮することができる。ＲＳＳＩ測定期間が短縮されることによって、端末１５０は、ＧＳＭセルを報告するために必要な合計時間を短縮することができ、これは非常に望ましい。
【００３９】
ＲＳＳＩ測定を終えた後、端末１５０は、モニターセット内の全てのＧＳＭセルについてＲＳＳＩ測定値をランク付けし、強いものから８つのＧＳＭセルを選択する。その後、端末１５０は、各ＧＳＭセルのＢＳＩＣを識別する。端末１５０は、一般に、最も強いＧＳＭセル、次に、２番目に強いＧＳＭセルといった連続した順序で、これら８つの強いＧＳＭセルに対するＢＳＩＣ識別を実行する。ＢＳＩＣ識別については、３ＧＰＰ  ＴＳ  ２５．１３３に記載されるように、端末１５０は、そのＢＳＩＣが未知であるＧＳＭセルへ優先度を与える。
【００４０】
端末１５０は、与えられたＧＳＭセルｘに対して、２ステップでＢＳＩＣ識別を実行しうる。ステップ１では、端末１５０は、ＧＳＭセルｘによってＦＣＣＨ上で送られたトーンを検出する。ステップ２では、端末１５０は、ＧＳＭセルｘによって送られたＳＣＨバーストを復号し、そのＧＳＭセルのためのＢＳＩＣを取得する。端末１５０は、一般に、そのＧＳＭセルｘのための如何なるタイミング情報も持っていない。従って、端末１５０は一般に、ＧＳＭセルｘについてトーンが検出されるまで、利用可能なそれぞれの送信ギャップ内のＧＳＭセルｘについてトーン検出を実行する。トーン検出は、ＧＳＭセルｘのために、周波数及び粗タイミング情報を端末１５０を提供する。粗タイミング情報によって、端末１５０は、（１つのＧＳＭフレーム内で）ＧＳＭセルｘのＳＣＨが送信されるときを確認できるようになる。その後、端末１５０は、ＳＣＨと並んでいる次の送信ギャップ内のＧＳＭセルｘのＳＣＨを復号する。
【００４１】
ステップ１では、トーン検出のために使用される第１の送信ギャップは、図３に示す５１−フレームマルチフレーム内のどこからでも始まる。第１の送信ギャップが、ＧＳＭセルｘのＦＣＣＨとオーバーラップするのであれば、端末１５０は、１つの送信ギャップにおいて、ＧＳＭセルｘのトーンを検出することができる。しかしながら、第１の送信ギャップが、ＧＳＭセルｘのＦＣＣＨと並んでいないのであれば、端末１５０は、ＦＣＣＨ上でトーンを検出するために、１又は複数の追加の送信ギャップを必要としうる。
【００４２】
図７Ａは、異なるフレームオフセットに対する５１−フレームマルチフレーム内のＧＳＭフレームに対するＧＡＰ２内の送信ギャップの並びを示す。ｉ個のＧＳＭフレームからなるフレームオフセット、ｉ∈｛１、．．．９｝、は、トーン検出のために使用される第１の送信ギャップが、ｉ個のＧＳＭフレームによって、５１−フレームマルチフレーム内の最初のＦＣＣＨ（すなわち、ＧＳＭフレーム０内のＦＣＣＨ）を見逃すことを意味する。
【００４３】
図７Ａ及び以下に示すテーブル２は、（１）ＧＡＰ２における送信ギャップが８０ミリ秒すなわち１７．３３ＧＳＭフレーム間隔で位置しており、（２）各送信ギャップが、７スロットすなわち４．６７ミリ秒の幅を持つ図６Ａにおける例である。これは、４．６１５ミリ秒からなる１ＧＳＭフレームよりも僅かに広い。図７Ａに示すように、ＧＡＰ２の送信ギャップは、異なるフレームオフセットについて、異なるＧＳＭフレームとオーバーラップする。
【００４４】
テーブル２は、ＧＡＰ２における送信ギャップのみを用いて、ＧＳＭセルｘのためのトーン検出に必要な送信ギャップ数を与える。テーブル２では、カラム１が、トーン検出のために使用される第１の送信ギャップのために異なるフレームオフセットを与える。カラム２〜１１は、トーン検出のために使用されるＧＡＰ２における最初の１０の送信ギャップ用である。テーブル２では、各異なるフレームオフセットのために１つのロウが与えられる。ロウはそれぞれ、ロウに関連するフレームオフセットが与えられたＧＡＰ２内の最初の１０の送信ギャップのおのおのの開始に対応するＧＳＭフレーム番号を与える。例えば、第１のフレームオフセットのロウは、第１の送信ギャップの開始がＧＳＭフレーム１．００であり、第２の送信ギャップの開始は、ＧＳＭフレーム１８．３３（すなわち、ＧＳＭフレーム１８に１／３を加えた）であり、第３の送信ギャップの開始は、ＧＳＭフレーム３５．６７（すなわち、ＧＳＭフレーム３５へ２／３を加えた）であり、第４の送信ギャップの開始は、次のマルチフレームにおけるＧＳＭフレーム２．００であること等を示す。
【表２】
2009505519.tif 000004
【００４５】
端末１５０は、ＧＳＭフレーム０、１０、２０、３０又は４０内のＦＣＣＨ上のトーンを発見することができる。テーブル２は、グレーの影で示すように、それぞれ異なるフレームオフセットのためにトーンを検出することができる送信ギャップを示す。例えば、端末１５０は、第１のフレームオフセットの８番目の送信ギャップで、第２のフレームオフセットの５番目の送信ギャップで、第３のフレームオフセットの２番目の送信ギャップで、ＧＳＭフレーム２０内のＦＣＣＨ上のトーンを検出することができる。端末１５０は、第４のフレームオフセットの９番目の送信ギャップで、第５のフレームオフセットの第６の送信ギャップで、第６のフレームオフセットの第３の送信ギャップで、ＧＳＭフレーム４０内のＦＣＣＨ上のトーンを検出することができる。残りそれぞれのフレームオフセットのトーン検出のために使用される送信ギャップ及びＧＳＭフレームがテーブル２で与えられる。テーブル２では、第１の送信ギャップがＧＳＭフレーム５０と揃っているのであれば、１０であるフレームオフセットと出会うことができる。この場合、ＦＣＣＨ上のトーンは、ＧＳＭフレーム３０内の第１１の送信ギャップで検出される。テーブル２は、端末１５０が、ＧＳＭセルｘのトーンを検出するために、平均して約６の送信ギャップを必要とすることを示す。
【００４６】
別の局面では、端末１５０は、別の目的のために、ＵＭＴＳネットワーク１２０によって割り当てられた多くの送信ギャップパターンシーケンスを用いてトーン検出を実行する。実施形態では、端末１５０は、ＧＡＰ２とＧＡＰ３とを用いてトーン検出を行なう。この実施形態では、端末１５０が、ＧＡＰ１を用いて、ＧＳＭセルに対するＲＳＳＩ測定を行ない続ける。
【００４７】
図７Ｂは、異なるフレームオフセットに対する５１−フレームマルチフレーム内のＧＳＭフレームに対するＧＡＰ２及びＧＡＰ３内の送信ギャップの並びを示す。図７Ｂ及び下記テーブル３は、例えば図６Ａに示すように、（１）ＧＡＰ２内の送信ギャップが８０ミリ秒間隔であり、（２）ＧＡＰ３内の送信ギャップが８０ミリ秒間隔であり、（３）ＧＡＰ３内の送信ギャップが、ＧＡＰ２内の送信ギャップから４０ミリ秒オフセットし、（４）各送信ギャップが、７スロットすなわち４．６７ミリ秒の幅を持つ。図７Ａ及び図７Ｂに例示されるように、ＧＡＰ２及びＧＡＰ３から利用可能な送信ギャップの数は、ＧＡＰ２のみから利用可能な送信ギャップの数の２倍である。図７Ｂはまた、異なるフレームオフセットに異なるＧＳＭフレームがオーバーラップしているＧＡＰ２及びＧＡＰ３の送信ギャップを示す。
【００４８】
テーブル３は、ＧＡＰ２及びＧＡＰ３における送信ギャップを用いて、ＧＳＭセルｘのトーン検出に必要な送信ギャップの数を与える。テーブル３には、それぞれ異なるフレームオフセットについて、ＧＡＰ２及びＧＡＰ３に対する２つのロウが与えられる。ロウはそれぞれ、ロウに関連するフレームオフセットが与えられたＧＡＰ内の最初の１０の送信ギャップのおのおのの開始に対応するＧＳＭフレーム番号を与える。例えば、第１のフレームオフセットの第２のロウは、ＧＡＰ３における第１の送信ギャップの開始がＧＳＭフレーム９．６７にあり、ＧＡＰ３における第２の送信ギャップの開始がＧＳＭフレーム２７にあり、ＧＡＰ３における第３の送信ギャップの開始がＧＳＭフレーム４４．３４にあり、ＧＡＰ３における第４の送信ギャップの開始が、次のマルチフレーム内のＧＳＭフレーム１０．６７ある等を示す。
【表３】
2009505519.tif 000005
【００４９】
テーブル３は、グレーの影で示すように、それぞれ異なるフレームオフセットについてトーンを検出することができる送信ギャップ及びＧＡＰを示す。例えば、端末１５０は、第１のフレームオフセットのＧＡＰ３の４番目の送信ギャップで、又は、第２のフレームオフセットのＧＡＰ３の１番目の送信ギャップで、ＧＳＭフレーム１０内のＦＣＣＨ上のトーンを検出することができる。端末１５０は、３番目のフレームオフセットのＧＡＰ２の２番目の送信ギャップで、ＧＳＭフレーム２０内のＦＣＣＨ上のトーンを検出することができる。残りそれぞれのフレームオフセットのトーン検出のために使用される送信ギャップ、ＧＡＰ、及びＧＳＭフレームがテーブル３で与えられる。テーブル３は、端末１５０が、平均して約４の送信ギャップで、ＧＳＭセルｘのためのトーンを検出できることを示す。これは、ＧＡＰ２のみを用いたトーン検出に必要とされる６の送信ギャップよりも５０％少ない。
【００５０】
別の実施形態では、端末１５０は、ＧＡＰ１、ＧＡＰ２及びＧＡＰ３を使用してトーン検出を行なう。一般に、端末１５０は、任意の数の送信ギャップパターンシーケンスを用いて、任意の数のＧＳＭセルのためのトーン検出を行うことができる。
【００５１】
また別の局面では、端末１５０は、別の目的のために、ＵＭＴＳネットワーク１２０によって割り当てられた多くの送信ギャップパターンシーケンスを用いて、ＳＣＨ復号を実行する。実施形態では、端末１５０は、ＧＡＰ２及びＧＡＰ３を使用して、ＳＣＨ復号を行なう。別の実施形態では、端末１５０は、３つのＧＡＰ１、ＧＡＰ２、及びＧＡＰ３を全て使用してＳＣＨ復号を行なう。一般に、端末１５０は、任意の数の送信ギャップパターンシーケンスを用いて、任意の数のＧＳＭセルのためのＳＣＨ復号を行う。
【００５２】
端末１５０はまた、その他の方法で、ＢＳＩＣ識別を実行しうる。例えば、端末１５０は、同じ送信ギャップにおいて、トーン検出及びＳＣＨ復号を行いうる。端末１５０が、周波数及び粗タイミング情報を持っていないのであれば、ＳＣＨ復号パフォーマンスは低下しうる。
【００５３】
図８は、ＧＳＭセルを測定し報告するために、端末１５０によって行なわれる処理８００を示す。先ず端末１５０は、ＧＳＭセル及び／又はＵＭＴＳセルを備えたモニターセットを得る（ブロック８１２）。端末１５０はまた、異なる測定目的のために、少なくとも２つの送信ギャップパターンシーケンス（例えば、ＧＡＰ１、ＧＡＰ２、及びＧＡＰ３）を得る（ブロック８１４）。端末１５０は、割り当てられた送信ギャップパターンシーケンスのうちの複数を用いて（例えば、ＧＡＰ１、ＧＡＰ２、及びＧＡＰ３の３つ全てを用いて）モニターセット内のＧＳＭセルのためのＲＳＳＩ測定を行い、ＲＳＳＩ測定値の最初のセットを得る（ブロック８１６）。
【００５４】
端末１５０はその後、例えば最も強いものから８つのＧＳＭセルのように、少なくとも１つのＧＳＭセルのためのＢＳＩＣ識別を実行する（ブロック８２０）。ＢＳＩＣ識別の場合、端末１５０は、例えばＧＡＰ２及びＧＡＰ３のように、割り当てられた送信ギャップパターンシーケンスのうちの複数を用いて、ＧＳＭセルのトーン検出を実行する（ブロック８２２）。端末１５０はその後、例えばＧＡＰ２及びＧＡＰ３のように、割り当てられた送信ギャップパターンシーケンスのうちの複数を用いて、ＧＳＭセルのためのＳＣＨ復号を実行する（ブロック８２４）。端末１５０は、識別されたＧＳＭセルを報告する（ブロック８２８）。
【００５５】
最初の報告後、必要であれば、ＵＭＴＳネットワーク１２０は、端末１５０をＧＳＭネットワーク１１０へハンドオーバーするための関連情報を有する。端末１５０はその後、ＲＳＳＩ測定、ＢＳＩＣ識別、及び、ＢＳＩＣ再確認を通常の方法で行う。端末１５０は、例えばＧＡＰ１のように、この目的のために割り当てられた送信ギャップパターンシーケンスを用いて、ＧＳＭセルのＲＳＳＩ測定を実行する（ブロック８３０）。端末１５０は、例えばＧＡＰ２のように、この目的のために割り当てられた送信ギャップパターンシーケンスを用いて、ＧＳＭセルのＢＳＩＣ識別を実行する（ブロック８３２）。端末１５０は、例えばＧＡＰ３のように、この目的のために割り当てられた送信ギャップパターンシーケンスを用いて、ＧＳＭセルのＢＳＩＣ再確認を実行する（ブロック８３４）。端末１５０は、報告イベントが生ずる場合にはいつでも、識別されたＢＳＭセルを報告する（ブロック８２８）。
【００５６】
図９は、ＵＭＴＳネットワークにおける基地局１２２ｘと端末１５０とのブロック図を示す。ダウンリンクでは、基地局１２２ｘにおいて、送信（ＴＸ）データプロセッサー９１２が、端末１５０のトラフィックデータ及びシグナリングをフォーマット、符号化、及びインターリーブする。変調器（ＭＯＤ）９１４は、ＴＸデータプロセッサー９１２の出力をチャネル化／拡散、スクランブル、及び変調し、チップのストリームを提供する。ＵＭＴＳにおけるシグナリング及びトラフィックデータの処理は、３ＧＰＰ  ＴＳ  ２５−３２１、ＴＳ  ２５−３０８、ＴＳ  ２５−２１２及びその他の３ＧＰＰドキュメントに記載されている。送信機（ＴＭＴＲ）９１６は、チップのストリームを調整（例えば、アナログ変換、増幅、フィルタ、及び周波数アップコンバート）し、ダウンリンク信号を生成する。それは、アンテナ９１８を経由して送信される。
【００５７】
端末１５０では、アンテナ９５２が、基地局１２２ｘや、ＧＳＭネットワーク及びＵＭＴＳネットワーク内のその他の基地局からダウンリンク信号を受信する。アンテナ９５２は、受信した信号を、受信機（ＲＣＶＲ）９５４に与える。受信機９５４は、受信した信号を調整（例えば、フィルタ、増幅、周波数ダウンコンバート、及びディジタル化）して、入力サンプルを得る。復調器（ＤＥＭＯＤ）９５６は、この入力サンプルを逆スクランブル、逆チャネル化／逆拡散、及び復調して、シンボル推定値を提供する。これらは、基地局１２２ｘによって送信されたデータシンボルの推定値である。受信（ＲＸ）データプロセッサー９５８は、このシンボル推定値を逆インターリーブし、復号し、受信パケットをチェックし、復号データを提供する。復調器９５６及びＲＸデータプロセッサー９５８による処理は、変調器９１４及びＴＸデータプロセッサー９１２による処理にそれぞれ相補的である。
【００５８】
アップリンクでは、トラフィックデータ及びシグナリングは、ＴＸデータプロセッサー９８２によって処理され、更に変調器９８４によって処理され、送信機９８６によって調整され、アンテナ９５２を介して送信される。基地局１２２ｘでは、アップリンク信号がアンテナ９１８によって受信され、受信機９４２によって調整され、復調器９４４によって処理され、ＲＸデータプロセッサー９４６によって更に処理されて、アップリンクデータ及びシグナリングが復元される。
【００５９】
コントローラー／プロセッサー９３０、９７０は、基地局１２２ｘ及び端末１５０における動作をそれぞれ制御する。メモリ９３２、９７２は、基地局１２２ｘ及び端末１５０それぞれのためのデータ及びプログラムコードを格納する。
【００６０】
コントローラー／プロセッサー９７０はまた、セル測定のために図８における処理８００を実行しうる。コントローラー／プロセッサー９７０は、モニターセットと、割り当てられた送信ギャップパターンシーケンスを、ＵＭＴＳネットワーク１２０から受信する。コントローラー／プロセッサー９７０は、割り当てられた送信ギャップパターンシーケンス内の送信ギャップによって判定された時間間隔において、ＧＳＭセルのための測定を行うように受信機９５４に命令する。これらセル測定は、ＲＳＳＩ測定、トーン検出（ＢＳＩＣ識別用）、及びＳＣＨ復号（ＢＳＩＣ識別及び再確認用）のためでありうる。セル測定を完了すると、報告イベントがトリガーされた場合にはいつでも、コントローラー／プロセッサー９７０が、測定報告を生成し、その報告をＵＭＴＳネットワーク１２０へ送る。
【００６１】
記載したセル測定技術は、様々な利点を備える。第１に、この技術は、ＧＳＭセルを測定し、報告するために必要な時間を実質的に低減しうる。割り当てられた送信ギャップパターンシーケンスを用いて、ＲＳＳＩ測定の第１のセットが、より迅速に取得される。更に、上述したように、複数の送信ギャップパターンシーケンスを用いて、最も強いＧＳＭセルが、より迅速に識別される。これによって、端末は、ＧＳＭセルをより迅速に報告できるようになる。これによって、端末は、ＧＳＭネットワークへより迅速にハンドオーバーできるようになる。より迅速なハンドオーバーは、喪失される通話の可能性を低減し、通話の信頼性を改善する。
【００６２】
第２に、割り当てられた送信ギャップパターンシーケンスのより良い利用によって、ＵＭＴＳネットワークのためのネットワークキャパシティが改善される。従来、ＧＡＰ２及びＧＡＰ３における送信ギャップは、ＲＳＳＩ測定の最初のセットが取得されるまで使用されない。更に、ＧＡＰ３内の送信ギャップは、最も強いＧＳＭセルのＢＳＩＣが識別されるまで使用されない。これら送信ギャップ中にデータが送られたかもしれないので、これら未使用の送信ギャップは、ネットワークリソースの浪費になる。割り当てられた送信ギャップは、本明細書で記載の技術を用いて、セル測定のためにより完全に利用されうる。セル測定をより迅速に完了することによって、端末は、短い時間の間、圧縮モードで動作する。これは、ネットワークキャパシティを改善しうる。
【００６３】
明確さのために、このセル測定技術は具体的に、ＧＳＭネットワーク及びＵＭＴＳネットワークのために記載された。これら技術はまた、その他のＣＤＭＡ、ＴＤＭＡ、ＦＤＭＡ、及び／又はその他のＲＡＴのような他のタイプのネットワークのためにも使用されうる。
【００６４】
本明細書に記載のセル測定技術は、様々な手段によって実施されうる。例えば、これらの技術は、ハードウェア、ファームウェア、ソフトウェア、あるいはこれらの組み合わせで実施されうる。ハードウェアによる実施の場合、セル測定を行うために使用される処理ユニットは、１又は複数の特定用途向けＩＣ（ＡＳＩＣ）、ディジタルシグナルプロセッサー（ＤＳＰ）、ディジタル信号処理デバイス（ＤＳＰＤ）、プログラム可能論理回路（ＰＬＤ）、フィールドプログラム可能ゲートアレイ（ＦＰＧＡ）、プロセッサー、コントローラー、マイクロコントローラー、マイクロプロセッサー、電子デバイス、本明細書に記載の機能を実行するために設計されたその他の電子ユニット、又はこれらの組み合わせ内で実施される。
【００６５】
ファームウェア及び／又はソフトウェアによる実施の場合、これら技術は、本明細書に記載の機能を実施するモジュール（例えば、手順、関数等）を用いて実施される。ソフトウェアコードが、メモリ（例えば、図９におけるメモリ９７２）内に格納され、プロセッサー（例えば、プロセッサー９７０）によって実行されうる。メモリは、プロセッサーの内部であるか、あるいはプロセッサーの外部に実装されうる。
【００６６】
開示された実施形態の前記記載によって、当業者は、本発明を活用又は利用できるようになる。これら実施形態の様々な変更が、当業者に容易に明らかになるであろう。そして、本明細書で定めた一般的原理は、本発明の精神又は範囲から逸脱することなく、他の実施形態に適用されうる。従って、本発明は、本明細書で示された実施形態に限定されることは意図されておらず、本明細書に記載された原理及び斬新な特徴と一致した最も広い範囲が与えられることになっている。
【図面の簡単な説明】
【００６７】
【図１】図１は、ＧＳＭネットワークおよびＵＭＴＳネットワークを示す。
【図２】図２は、ＵＭＴＳにおけるダウンリンクのフレーム構造を示す。
【図３】図３は、ＧＳＭにおけるフレーム構造を示す。
【図４】図４は、ＵＭＴＳにおける圧縮モード送信を示す。
【図５】図５は、ＧＳＭセルを測定する処理を示す。
【図６Ａ】図６Ａは、ＧＡＰ１、ＧＡＰ２、及びＧＡＰ３の典型的なセットを示す。
【図６Ｂ】図６Ｂは、ＧＡＰ１、ＧＡＰ２、及びＧＡＰ３で利用可能な送信ギャップを示す。
【図７Ａ】図７Ａは、ＧＳＭフレームに対するＧＡＰ２内の送信ギャップのアラインメントを示す。
【図７Ｂ】図７Ｂは、ＧＳＭフレーム対するＧＡＰ２及びＧＡＰ３内の送信ギャップのアラインメントを示す。
【図８】図８は、ＧＳＭセルの測定及び報告のための処理を示す。
【図９】図９は、基地局と端末とのブロック図を示す。
【図１】
2009505519.tif 000006
【図２】
2009505519.tif 000007
【図３】
2009505519.tif 000008
【図４】
2009505519.tif 000009
【図５】
2009505519.tif 000010
【図６Ａ】
2009505519.tif 000011
【図６Ｂ】
2009505519.tif 000012
【図７Ａ】
2009505519.tif 000013
【図７Ｂ】
2009505519.tif 000014
【図８】
2009505519.tif 000015
【図９】
2009505519.tif 000016
【手続補正書】
【提出日】平成20年5月22日(2008.5.22)
【手続補正１】
【補正対象書類名】明細書
【補正対象項目名】００５６
【補正方法】変更
【補正の内容】
【００５６】
図９は、ＵＭＴＳネットワークにおける基地局１２２ｘと端末１５０とのブロック図を示す。ダウンリンクでは、基地局１２２ｘにおいて、送信（ＴＸ）データプロセッサー９１２が、端末１５０のトラフィックデータ及びシグナリングをフォーマット、符号化、及びインターリーブする。変調器（ＭＯＤ）９１４は、ＴＸデータプロセッサー９１２の出力をチャネル化／拡散、スクランブル、及び変調し、チップのストリームを提供する。ＵＭＴＳにおけるシグナリング及びトラフィックデータの処理は、３ＧＰＰ  ＴＳ  ２５−３２１、ＴＳ  ２５−３０８、ＴＳ  ２５−２１２及びその他の３ＧＰＰドキュメントに記載されている。送信機（ＴＭＴＲ）９１６は、チップのストリームを調整（例えば、アナログ変換、増幅、フィルタ、及び周波数アップコンバート）し、ダウンリンク信号を生成する。それは、アンテナ９２４を経由して送信される。
【手続補正２】
【補正対象書類名】明細書
【補正対象項目名】００５８
【補正方法】変更
【補正の内容】
【００５８】
アップリンクでは、トラフィックデータ及びシグナリングは、ＴＸデータプロセッサー９８２によって処理され、更に変調器９８４によって処理され、送信機９８６によって調整され、アンテナ９５２を介して送信される。基地局１２２ｘでは、アップリンク信号がアンテナ９２４によって受信され、受信機９４２によって調整され、復調器９４４によって処理され、ＲＸデータプロセッサー９４６によって更に処理されて、アップリンクデータ及びシグナリングが復元される。
【国際調査報告】
2009505519.tif 000017
2009505519.tif 000018
2009505519.tif 000019